(57)【特許請求の範囲】
【請求項１】
長尺状である頸部と、
前記頸部の端部に設けられ、長尺方向の幅が頸部よりも大きく、弾力性を有する頭部と、
前記頭部の表面および裏面の両方に設けられる刷毛とを備え、
前記頭部は、厚み方向に垂直に貫通する複数の孔を有し、前記刷毛は前記刷毛の複数の毛束が前記複数の孔にそれぞれ固定され、
前記複数の孔のそれぞれは、中央部が端部よりも狭く、前記刷毛は、屈曲した二つの毛束を、その屈曲部分で互いに交差させた交差部を有する複数の毛束で構成されており、前記複数の毛束の前記交差部のそれぞれが前記複数の孔の中央部にはめ込まれて前記頭部に固定されている、歯ブラシ。
【請求項２】
前記頭部は、歯で噛んだ際にへこみ、かつ、噛んでいない場合にはもとの形状に戻る程度の弾力性を有する、請求項１に記載の歯ブラシ。
【請求項３】
前記頸部は、最も広い部分の幅が１ｃｍ未満である、請求項１または２に記載の歯ブラシ。
【請求項４】
前記頸部は、歯で噛んだ際にへこみ、かつ、噛んでいない場合にはもとの形状に戻る程度の弾力性を有する、請求項１〜３のいずれか１項に記載の歯ブラシ。
【請求項５】
前記頭部は、前記歯ブラシの長尺方向を縦とした場合に、横に長い長方形である、請求項１〜４のいずれか１項に記載の歯ブラシ。
【請求項６】
前記頸部および前記頭部の厚さは、同一である、請求項１〜５のいずれか１項に記載の歯ブラシ。
【請求項７】
前記頭部は、プラチナシリコンからなる、請求項１〜６のいずれか１項に記載の歯ブラシ。
【請求項８】
前記頸部は、プラチナシリコンからなる、請求項１〜７のいずれか１項に記載の歯ブラシ。
【請求項９】
前記刷毛は、プラチナシリコンからなる、請求項１〜８のいずれか１項に記載の歯ブラシ。
【請求項１０】
前記複数の孔のそれぞれは、中央部が端部よりも狭く、前記刷毛は、前記刷毛の毛束それぞれの中央部に前記孔の中央部の直径と一致する固定部を有し、前記固定部のそれぞれが前記複数の孔の中央部にはめ込まれて前記頭部に固定される、請求項１に記載の歯ブラシ。
【請求項１１】
前記複数の孔のそれぞれは、中央部が端部よりも狭く、前記刷毛は、前記刷毛の毛束のそれぞれの中央部に結び目を有し、前記結び目のそれぞれが前記複数の孔の中央部にはめ込まれて前記頭部に固定されている、請求項１または１０に記載の歯ブラシ。
【請求項１２】
前記複数の孔のそれぞれは、中央部が端部よりも狭く、前記刷毛は、前記刷毛の毛束のそれぞれの中央部に、前記孔の中央部の直径と一致する固定部材を有する、請求項１に記載の歯ブラシ。
【請求項１３】
前記刷毛は、前記刷毛の毛束のそれぞれの中央部に結び目を有し、前記結び目に前記固定部材が設けられる、請求項１２に記載の歯ブラシ。
【請求項１４】
前記刷毛は、前記刷毛の毛束のそれぞれが２つに分けられ、前記２つに分けられた毛束のそれぞれの中央部がＶ字になるよう交差された交差部を有し、前記交差部に前記固定部材が設けられる、請求項１２または１３に記載の歯ブラシ。
【請求項１５】
前記頸部は、前記頭部と反対側の端部に環状部を備え、前記環状部は開口部を有し、前記歯ブラシは、前記開口部を通り、最も大きい部分が３ｃｍ以上である部材を有する、請求項１〜１４のいずれか１項に記載の歯ブラシ。
【請求項１６】
前記歯ブラシ１は、長尺方向の長さが７〜１２ｃｍである、請求項１〜１５のいずれか１項に記載の歯ブラシ。
【発明の詳細な説明】
【技術分野】
【０００１】
本発明は、歯ブラシに関する。
【背景技術】
【０００２】
従来、頭部の表側と裏側に弾力毛を有し、頭部が柄に対して傾斜した歯ブラシが知られている（特許文献１参照）。
【先行技術文献】
【特許文献】
【０００３】
【特許文献１】特開２０１７−２２１６０２号公報
【発明の概要】
【発明が解決しようとする課題】
【０００４】
ところで、上記特許文献１に記載の技術では、歯ブラシの使用に際し、必ずユーザに手を使用させるものとなっており、ユーザに対してより利便性を提供するものではなかった。
【０００５】
そこで、本発明は、上記問題に鑑みてなされたものであり、歯ブラシの使用に際し、ユーザに対してより利便性を提供することができる、歯ブラシを提供することを目的とする。
【課題を解決するための手段】
【０００６】
上記課題を解決するため、本発明の一態様に係る歯ブラシは、長尺状である頸部と、頸部の端部に設けられ、長尺方向の幅が頸部よりも大きく、弾力性を有する頭部と、頭部の表面および裏面の両方に設けられる刷毛とを備える。
【０００７】
上記歯ブラシにおいて、頭部は、歯で噛んだ際にへこみ、かつ、噛んでいない場合にはもとの形状に戻る程度の弾力性を有してもよい。
【０００８】
上記歯ブラシにおいて、頸部は、最も広い部分の幅が１ｃｍ未満としてもよい。
【０００９】
上記歯ブラシにおいて、頸部は、歯で噛んだ際にへこみ、かつ、噛んでいない場合にはもとの形状に戻る程度の弾力性を有してもよい。
【００１０】
上記歯ブラシにおいて、頭部は、歯ブラシの長尺方向を縦とした場合に、横に長い長方形としてもよい。
【００１１】
上記歯ブラシにおいて、頸部および頭部の厚さは、同一としてもよい。
【００１２】
上記歯ブラシにおいて、頭部は、プラチナシリコンからなることとしてもよい。
【００１３】
上記歯ブラシにおいて、頸部は、プラチナシリコンからなることとしてもよい。
【００１４】
上記歯ブラシにおいて、刷毛は、プラチナシリコンからなることとしてもよい。
【００１５】
上記歯ブラシにおいて、頭部は、厚み方向に垂直に貫通する複数の孔を有し、刷毛は刷毛の複数の毛束が複数の孔にそれぞれ固定されてもよい。
【００１６】
上記歯ブラシにおいて、複数の孔のそれぞれは、中央部が端部よりも狭く、刷毛は、刷毛の毛束それぞれの中央部に孔の中央部の直径と一致する固定部を有し、固定部のそれぞれが複数の孔の中央部にはめ込まれて頭部に固定されてもよい。
【００１７】
上記歯ブラシにおいて、複数の孔のそれぞれは、中央部が端部よりも狭く、刷毛は、刷毛の毛束のそれぞれの中央部に結び目を有し、結び目のそれぞれが複数の孔の中央部にはめ込まれて頭部に固定されてもよい。
【００１８】
上記歯ブラシにおいて、複数の孔のそれぞれは、中央部が端部よりも狭く、刷毛は、屈曲した二つの毛束を、その屈曲部分で互いに交差させた交差部を有する複数の毛束で構成されており、複数の毛束の交差部のそれぞれが複数の孔の中央部にはめ込まれて頭部に固定されてもよい。
【００１９】
上記歯ブラシにおいて、複数の孔のそれぞれは、中央部が端部よりも狭く、刷毛は、刷毛の毛束のそれぞれの中央部に、孔の中央部の直径と一致する固定部材を有してもよい。
【００２０】
上記歯ブラシにおいて、刷毛は、刷毛の毛束のそれぞれの中央部に結び目を有し、結び目に固定部材が設けられてもよい。
【００２１】
上記歯ブラシにおいて、刷毛は、刷毛の毛束のそれぞれが２つに分けられ、２つに分けられた毛束のそれぞれの中央部がＶ字になるよう交差された交差部を有し、交差部に固定部材が設けられてもよい。
【００２２】
上記歯ブラシにおいて、頸部は、頭部と反対側の端部に環状部を備え、環状部は開口部を有し、歯ブラシは、開口部を通り、最も大きい部分が３ｃｍ以上である部材を有してもよい。
【００２３】
上記歯ブラシにおいて、歯ブラシは、長尺方向の長さが７〜１２ｃｍであってもよい。
【発明の効果】
【００２４】
このように、本発明によれば、歯ブラシは、刷毛が頭部の表面および裏面の両方に設けられていることから、ユーザは、手を使用しなくとも、歯ブラシを噛みしめること、刷毛を噛んだ状態で歯ぎしりをするように顎を動かすこと、および、口の中で舌などを使用して移動させることができる。また、歯ブラシは、頭部が弾力性を有していることから、歯ブラシを噛む際、および、口に保持する際に口内を傷つけにくく、ユーザは、気兼ねなく歯ブラシを噛みしめること、および、噛みしめたまま口に保持することができ、より容易に各動作が可能となる。したがって、歯ブラシは、歯ブラシの使用に際し、ユーザに手を使用させなくとも歯ブラシを使用することを可能とし、ユーザに対してより利便性を提供することができる。
【図面の簡単な説明】
【００２５】
【図１】本発明の一実施の形態に係る歯ブラシの斜視図である。
【図２】本発明の一実施の形態に係る歯ブラシの側面図である。
【図３】本発明の一実施の形態に係る歯ブラシの平面図である。
【図４】本発明の一実施の形態に係る、環状部材を備えた場合の歯ブラシの斜視図である。
【図５】（ａ）および（ｂ）は、本発明の一実施の形態に係る歯ブラシの刷毛の固定方法に関する概略図である。
【図６】（ａ）〜（ｃ）は、本発明の一実施の形態に係る歯ブラシの刷毛の固定方法に関する概略図である。
【図７】本発明の一実施の形態に係る歯ブラシの使用態様の一例を示す図である。
【発明を実施するための形態】
【００２６】
以下、本発明の一実施態様に係る歯ブラシについて、図面を参照しながら詳細に説明する。
【００２７】
図１は、本発明の一実施の形態に係る歯ブラシ１の斜視図である。図２は、本発明の一実施の形態に係る歯ブラシ１の側面図である。図３は、本発明の一実施の形態に係る歯ブラシ１の平面図である。図１〜図３に示すように、歯ブラシ１は、頸部１１と、頭部１２と、刷毛１３とを備え、頸部１１と頭部１２とが接続され、頭部１２の表面および裏面の両方に刷毛１３が設けられている。歯ブラシ１は、さらに、頸部１１の頭部１２と反対側の端部に環状部１１１を備えてもよい。図１〜図３には、環状部１１１を設けた例を示しているが、環状部１１１は必須の構成ではない。歯ブラシ１は、ユーザが手を使用せずに口にくわえるだけで使用することができ、ユーザが手または指で頸部１１を持つことにより使用することもできる。
【００２８】
歯ブラシ１は、図３に示すように、長尺方向の長さＤが７〜１２ｃｍであり、好ましくは、１０．５ｃｍである。歯ブラシ１の厚さｔは、図２に示すように、頸部１１と頭部１２とで誤差の範囲で同一であることが望ましいが、異なっていてもよい。図２に示すように、歯ブラシ１の厚さｔは、０．２６〜０．６ｃｍとすることができ、好ましくは０．４ｃｍとすることができる。
【００２９】
頸部１１は、長尺状であり、例えば、立方体、直方体、三角柱、三角錐、四角柱、四角錐、円柱、円錐などであるが、長尺状であればあらゆる形状を含む部材である。頸部１１は、図３に示すように、幅Ｗ１が均一であってもよい。従来の歯ブラシは、頭部、頸部に続いて、歯ブラシの長尺方向に対する幅が頸部より広い把柄部を有するのが一般的であるが、本発明は把柄部を有さない。
【００３０】
頸部１１は、図３に示すように、幅Ｗ１が、好ましくは１ｃｍ未満であり、より好ましくは０．５ｃｍである。頸部１１の幅Ｗ１が均一でない場合、最も広い部分において好ましくは１ｃｍ未満であり、より好ましくは０．５ｃｍである。頸部１１は、長尺方向の長さが好ましくは５〜１０ｃｍであり、より好ましくは、８ｃｍである。頸部１１は、歯で噛んだ際にへこみ、かつ、噛んでいない場合にはもとの形状に戻る程度の弾力性を有してもよい。
【００３１】
頸部１１は、樹脂からなり、例えば、飽和ポリエステル樹脂、プラチナシリコンなどからなるが、これらに限定するものではない。頸部１１は、好ましくは、プラチナシリコンからなる。
【００３２】
頸部１１は、さらに、後述の頭部１２と反対側の端部に開口部１１２を有する環状部１１１を備えることができる。環状部１１１は、頸部１１と分離可能であってもよく、一体となっていてもよい。環状部１１１は、図３に示すように、頸部１１よりも歯ブラシ１の長尺方向に対する幅Ｗ２を広くすることができ、環状部１１１の幅Ｗ２は、好ましくは１ｃｍ以上であり、より好ましくは１ｃｍである。開口部１１２は、図３に示すように、長尺方向の長さｄが２ｃｍ以下であり、好ましくは１ｃｍ以下である。歯ブラシ１は、図４に示すように、開口部１１２において、開口部１１２を通る部材１１３を備えてもよい。
【００３３】
部材１１３は、開口部１１２を通るものであればよく、例えば、紐状の部材、糸状の部材、柔軟性のある環状の部材、固形の環状の部材などである。部材１１３は、好ましくは、定型性を有する、柔軟性のある環状の部材、または、固形の環状の部材である。部材１１３は、歯ブラシ１をユーザが飲み込むのを防止できる大きさを有していることが好ましい。
【００３４】
環状の部材は、歯ブラシ１をユーザが飲み込むのを防げる大きさであり、例えば長径が３〜５ｃｍである。環状の部材は、好ましくは、円とすることができる。環状の部材が例えば円の場合、好ましくは外径が３〜５ｃｍである。環状の部材は、好ましくは、円であり、外径を３．２ｃｍ、内径を２．８ｃｍ、辺の幅を０．２ｃｍとすることができる。部材１１３は、耐久性に優れた素材からなることが好ましい。、部材１１３は、例えば、プラスチックまたはプラチナシリコンからなることとしてもよい。部材１１３は、着脱可能である。
【００３５】
頭部１２は、頸部１１の端部に設けられ、歯ブラシ１の長尺方向の幅が頸部１１よりも大きい、弾力性を有する部材である。頭部１２は、あらゆる形状を含み、例えば、四角形、長方形、正方形、三角形、円、楕円、ひし形、扇形、しずく形、ハート形、星形などであり、好ましくは平面視したときの形状が四角形の平面であり、より好ましくは、歯ブラシ１の長尺方向を縦とした場合に横に長い長方形の平面である。頭部１２は、例えば、歯ブラシ１の長尺方向を縦とした縦横比を１：１〜２：３としてもよく、好ましくは、５：６としてもよい。例えば、頭部１２は、縦を２．５ｃｍ、横を３．０ｃｍとすることができる。頭部１２は、歯で噛んだ際にへこみ、かつ、噛んでいない場合にはもとの形状に戻る程度の弾力性を有することができる。頭部１２は、頸部１１と分離可能であってもよく、一体となっていてもよい。
【００３６】
頭部１２は、樹脂からなり、例えば、飽和ポリエステル樹脂、プラチナシリコンなどからなるが、これらに限定するものではない。頭部１２は、好ましくは、プラチナシリコンからなる。
【００３７】
頸部１１および頭部１２の素材は、同一であってもよく、異なっていてもよい。
【００３８】
刷毛１３は、頭部１２の表面および裏面に設けられた複数の毛束である。刷毛１３は、頭部１２の表面の刷毛１３１と頭部１２の裏面の刷毛１３２を有する。刷毛１３１および刷毛１３２は、その長さが誤差の範囲で同一であることが望ましいが、異なっていてもよい。図２に示すように、刷毛１３１の頭部１２から伸びる部分の長さｌ１は、好ましくは１ｃｍ以下である。また、図２に示すように、刷毛１３２の頭部１２から伸びる部分の長さｌ２も、好ましくは１ｃｍ以下である。
【００３９】
刷毛１３の材質は、化学合成フィラメント、または、天然毛（動物毛）などであり、例えば、ナイロン、飽和ポリエステル樹脂、ポリプチレン、ポリプロピレン、シリコンゴム、豚毛、馬毛、パジャー（アナグマ毛）などである。刷毛１３１および刷毛１３２の材質は、同一であることが望ましいが、異なっていてもよい。
【００４０】
刷毛１３の形状は、例えば、マルチタフト型、タフト型、ストレート型、コンケーブ型、コンベックス型、ローリング型、または、タフトエント型などであり、好ましくは、マルチタフト型、または、ストレート型である。刷毛１３１および刷毛１３２は、実質的に同一の形状であることが好ましい。
【００４１】
刷毛１３の毛の太さは、刷毛１３１および刷毛１３２において実質的に同一であることが好ましい。刷毛１３の毛先の形状は、例えば、水平型、斜め型、円状型、球状型、または、尖り型などであり、好ましくは、円状型、または、球状型である。
【００４２】
刷毛１３の頭部１２における配置の仕方は、例えば、多数張り、密植、多毛束植、または、疎毛束植などである。刷毛１３は、図３に示すように、好ましくは、９行１２列で設けられる。
【００４３】
刷毛１３は、頭部１２が飽和ポリエステル樹脂からなる場合、好ましくは、頭部１２の縁から約０．１ｃｍ以上内側に設けられるのがよいが、これに限定されない。刷毛１３は、頭部１２がプラチナシリコンからなる場合、好ましくは、頭部１２の縁から約０．２５ｃｍ以上内側に設けられるのがよいが、これに限定されない。
【００４４】
刷毛１３は、図５および図６に示すように、頭部１２に頭部１２を厚み方向に垂直に貫通する複数の孔１２１を設け、そこを通るようにして設けられてもよい。すなわち、刷毛１３は、頭部１２を貫通するように設けられてもよい。
【００４５】
刷毛１３は、頭部１２に設けられた孔１２１に固定されることにより、頭部１２に設けられてもよい。
【００４６】
頭部１２の孔１２１は、中央部が端部よりも狭くなっており、刷毛１３は、刷毛１３の毛束の一部の直径が頭部１２の孔１２１の中央部の直径と実質的に一致することによって頭部１２に固定されてもよい。このとき、孔１２１の中央部は必ず中央である必要はなく、孔１２１の中央部は、頭部１２の表面側または裏面側のいずれかに寄っていてもよい。
【００４７】
頭部１２の孔１２１は、図５に示すように、中央部が端部よりも狭くなっており、刷毛１３は、刷毛１３の毛束それぞれの中央部に孔１２１の中央部の直径と実質的に一致する固定部１３０１を有し、固定部１３０１のそれぞれが複数の孔１２１の中央部にはめ込まれて頭部１２に固定されてもよい。このとき、孔１２１の中央部は必ず中央である必要はなく、孔１２１の中央部は、頭部１２の表面側または裏面側のいずれかに寄っていてもよい。
【００４８】
例えば、刷毛１３は、図５（ａ）に示すように、刷毛１３の毛束のそれぞれの中央部を結び、結ばれた中央部を固定部１３０１として、この固定部１３０１のそれぞれを頭部１２の複数の孔１２１の中央部にはめ込むようにして頭部１２に固定されてもよく、図５（ｂ）に示すように、刷毛１３の複数の毛束において、屈曲した二つの毛束を、その屈曲部分で互いに交差させた交差部を固定部１３０１として、この固定部１３０１のそれぞれを頭部１２の複数の孔１２１の中央部にはめ込むようにして頭部１２に固定されてもよい。
【００４９】
刷毛１３は、図６に示すように、刷毛１３の毛束のそれぞれの中央部に固定部材１３０２を有してもよい。固定部材１３０２は、刷毛１３の毛束を固定し、刷毛１３の毛束を頭部１２に固定するものである。例えば、固定部材１３０２は、固定部材１３０２の最も広い部分の幅が、頭部１２の孔１２１の中央部の直径と実質的に一致するものなどである。
【００５０】
頭部１２の孔１２１は、中央部が端部よりも狭くなっており、刷毛１３は、刷毛１３の毛束それぞれの中央部に孔１２１の中央部の直径と実質的に一致する固定部材１３０２を有し、固定部材１３０２のそれぞれが複数の孔１２１の中央部にはめ込まれて頭部１２に固定されてもよい。
【００５１】
固定部材１３０２は、好ましくは、平線（束金）またはその代用品などである。平線（束金）は、金属片（真鍮や黄銅）を約０．２４ｍｍの薄さで輪にして使用することができる。刷毛１３の毛束の固定において、平線（束金）に代えて、樹脂、例えば、飽和ポリエステル樹脂、または、プラチナシリコンからなる固定部材１３０２を使用してもよい。
【００５２】
例えば、刷毛１３は、図６（ａ）に示すように、刷毛１３の毛束のそれぞれの中央部に平線（束金）またはその代用品を設け、平線（束金）またはその代用品のそれぞれを頭部１２の複数の孔１２１の中央部にはめ込むようにして頭部１２に固定されてもよく、図６（ｂ）に示すように、刷毛１３の毛束のそれぞれの中央部を結び、結ばれた中央部に平線（束金）またはその代用品を設け、平線（束金）またはその代用品のそれぞれを頭部１２の複数の孔１２１の中央部にはめ込むようにして頭部１２に固定されてもよく、図６（ｃ）に示すように、刷毛１３の毛束を２つに分け、２つに分けた毛束のそれぞれの中央部をＶ字になるよう交差させ、交差させた中央部のそれぞれに平線（束金）またはその代用品を設け、平線（束金）またはその代用品のそれぞれを頭部１２の複数の孔１２１の中央部にはめ込むようにして頭部１２に固定されてもよい。
【００５３】
歯ブラシ１は、図７に示すように、手を使用せずに、歯で噛むようにして使用してもよい。歯ブラシ１は、手を使用せずに、刷毛１３を噛んだ状態で歯ぎしりをするように顎を動かして使用してもよい。歯ブラシ１は、手を使用せずに、口の中で舌などを使用して移動させて使用してもよい。
【００５４】
上記構成により、歯ブラシ１は、手を使用しなくとも、歯ブラシ１を口からこぼすことなく、刷毛１３を噛むこと、刷毛１３を噛んだ状態で歯ぎしりをするように顎を動かすこと、および、口の中で舌などを使用して移動させることを可能とする。これにより、歯ブラシ１は、ユーザが手を使わずに歯を磨くことを可能とし、ユーザが、口に歯ブラシを入れて噛んでいるだけで、歯を磨くことを可能とする。これにより、通常よりも長い時間歯を磨くこと、および、通常よりもこまめに歯を磨くことが容易になり、より歯を丈夫にし、歯間の食べかすを簡単に取り除き、歯垢を落とし、顎を丈夫にすることを可能とし、歯ブラシの使用に際し、ユーザにより高い利便性を提供することができる。また、歯ブラシ１は、ユーザが手を使わずに歯を磨くことを可能とすることから、ユーザが歯を磨きながら異なる作業を行うことを可能とし、ユーザにより高い利便性を提供することができる。
【００５５】
歯ブラシ１は、長尺状である頸部と、頸部の端部に設けられ、長尺方向の幅が頸部よりも大きく、弾力性を有する頭部と、頭部の表面および裏面の両方に設けられる刷毛とを備える。歯ブラシ１は、刷毛１３が頭部の表面および裏面の両方に設けられていることから、ユーザは、手を使用しなくとも、歯ブラシ１を噛みしめること、刷毛１３を噛んだ状態で歯ぎしりをするように顎を動かすこと、および、口の中で舌などを使用して移動させることができる。また、歯ブラシ１は、頭部１２が弾力性を有していることから、歯ブラシ１を噛む際、および、口に保持する際に口内を傷つけにくいことから、ユーザは、気兼ねなく歯ブラシ１を噛みしめること、および、噛みしめたまま口に保持することなどができ、より容易に各動作が可能となる。これにより、歯ブラシ１は、ユーザが手を使わずに歯を磨くことを可能とし、ユーザが、口に歯ブラシ１を入れて噛んでいるだけで、歯を丈夫にし、歯間の食べかすを簡単に取り除き、歯垢を落とし、顎を丈夫にすることを可能とし、歯ブラシの使用に際し、ユーザにより高い利便性を提供することができる。また、歯ブラシ１は、ユーザが手を使わずに歯を磨くことを可能とすることから、ユーザが歯を磨きながら異なる作業を行うことを可能とし、ユーザにより高い利便性を提供することができる。
【００５６】
歯ブラシ１は、頭部１２が、歯で噛んだ際にへこみ、かつ、噛んでいない場合にはもとの形状に戻る程度の弾力性を有してもよい。これにより、歯ブラシ１を噛む際、および、口に保持する際に口内を傷つけにくいことから、ユーザは、気兼ねなく歯ブラシ１を噛みしめること、および、噛みしめたまま口に保持することなどができ、手を使用しなくとも、歯ブラシ１を噛みしめること、および、噛みしめたまま口に保持することなどの口内における動作がより容易になり、歯ブラシの使用に際し、ユーザにより高い利便性を提供する。
【００５７】
歯ブラシ１は、把柄部を有さず、頸部１１を幅が１ｃｍ未満でとしてもよい、これにより、歯ブラシ１は、従来の歯ブラシの口にくわえる部分だけとなり、手を使用しなくとも、歯ブラシ１を口からこぼすことなく、歯ブラシ１をくわえることをより容易にし、歯ブラシの使用に際し、ユーザにより高い利便性を提供することができる。
【００５８】
歯ブラシ１は、頭部１２を歯ブラシ１の長尺方向を縦とした場合に、横に長い長方形としてもよい。これにより、刷毛１３をくわえやすくすることができ、また、刷毛１３をくわえた場合に歯ブラシ１のバランスを取りやすくすることができ、ユーザは、手を使用しなくとも、歯ブラシ１を口からこぼすことなく、刷毛１３を噛むこと、および、刷毛１３を噛んだ状態で歯ぎしりをするように顎を動かすことができる。これにより、歯ブラシ１は、ユーザが手を使わずに歯を磨くことを可能とし、ユーザが、口に歯ブラシを入れて噛んでいるだけで、歯を丈夫にし、歯間の食べかすを簡単に取り除き、歯垢を落とし、顎を丈夫にすることを可能とすることができる。また、歯ブラシ１は、ユーザが手を使わずに歯を磨くことを可能とすることから、ユーザが歯を磨きながら異なる作業を行うことを可能とし、ユーザにより高い利便性を提供することができる。
【００５９】
歯ブラシ１は、頸部１１および頭部１２の厚さｔを実質的に同一としてもよい。これにより、ユーザは、手を使用しなくとも、歯ブラシ１を噛みしめること、および、噛みしめたまま口に保持することがより容易になり、歯ブラシの使用に際し、ユーザにより高い利便性を提供することができる。
【００６０】
歯ブラシ１は、頸部、頭部、および刷毛のうちの１つ以上またはすべてをプラチナシリコンからなることとしてもよい。これにより、抗菌性を有し、衛生的な歯ブラシ１を提供することができる。また、これにより、歯ブラシ１を強く噛んでも、より歯および歯茎を傷つけにくく、より安全な歯ブラシ１を提供することができる。これにより、歯ブラシ１に色彩を施すことが可能となる。
【００６１】
歯ブラシ１は、頭部１２において頭部１２の厚み方向に垂直に貫通する複数の孔１２１を有しいてもよく 、刷毛１３を刷毛１３の複数の毛束が複数の孔１２１にそれぞれ固定されようにしてもよい。これにより、頭部１２の表面および裏面の両方に刷毛１３を設ける場合に、頭部１２の表面側および裏面側それぞれに対して刷毛１３を固定する必要がなくなり、その分頭部１２の厚さを小さくすることができることから、歯ブラシ１を噛みしめること、および、噛みしめたまま口に保持することがより容易になり、歯ブラシの使用に際し、ユーザにより高い利便性を提供することができる。
【００６２】
歯ブラシ１は、複数の孔１２１のそれぞれの中央部を端部よりも狭くしてもよく、刷毛１３の毛束それぞれの中央部に孔１２１の中央部の直径と実質的に一致する固定部１３０１を有してもよく、固定部１３０１のそれぞれが複数の孔１２１の中央部にはめ込まれて頭部１２に固定されるようにしてもよい。これにより、頭部１２の表面および裏面の両方に刷毛１３を設ける場合に、頭部１２の表面側および裏面側それぞれに対して刷毛１３を固定する必要がなくなり、その分頭部１２の厚さを小さくすることができることから、歯ブラシ１を噛みしめること、および、噛みしめたまま口に保持することがより容易になり、歯ブラシの使用に際し、ユーザにより高い利便性を提供することができる。
【００６３】
歯ブラシ１は、複数の孔１２１のそれぞれの中央部を端部よりも狭くしてもよく、刷毛１３の毛束それぞれの中央部に孔１２１の中央部の直径と実質的に一致する固定部材１３０２を有してもよい。固定部材１３０２により、刷毛１３の毛束それぞれを複数の孔１２１に固定することができ、これにより、頭部１２の表面および裏面の両方に刷毛１３を設ける場合に、頭部１２の表面側および裏面側それぞれに対して刷毛１３を固定する必要がなくなり、その分頭部１２の厚さを小さくすることができることから、歯ブラシ１を噛みしめること、および、噛みしめたまま口に保持することがより容易になり、歯ブラシの使用に際し、ユーザにより高い利便性を提供することができる。
【００６４】
歯ブラシ１は、頸部１１において頭部１２と反対側の端部に環状部１１１を備え、環状部１１１において開口部１１２を有してもよく、歯ブラシ１は、最も大きい部分が３ｃｍ以上である開口部１１２を通る部材１１３を有してもよい。歯ブラシ１は、最も大きい部分が３ｃｍ以上である開口部１１２を通る部材１１３を有することにより、ユーザが手を使わずに歯ブラシ１を使用した際の誤飲を防止することができ、万が一誤飲しそうになった場合でも、部材１１３により容易に取り出すことを可能とすることができる。これにより、歯ブラシ１は、ユーザにより高い利便性を提供することができる。
【００６５】
歯ブラシ１は、長尺方向の長さＤを７〜１２ｃｍとしてもよい。歯ブラシ１は、長尺方向の長さＤを１２ｃｍ以下とすることで、従来の歯ブラシよりも短くなり、口にくわえたままでも邪魔になりにくく、また、短さの分重さも軽くなり、口にくわえたままでも疲れにくくすることができる。また、歯ブラシ１は、長尺方向の長さＤを７ｃｍ以上とすることで、ユーザが手を使わずに歯ブラシ１を使用した際の誤飲を防止することができる。これにより、手を使用しなくとも、安心して、歯ブラシ１を口からこぼすことなく、歯ブラシ１をくわえることがより容易になり、歯ブラシ１は、ユーザにより高い利便性を提供することができる。
【００６６】
歯ブラシ１は、頭部１２の表面の刷毛１３１および頭部１２の裏面の刷毛１３２の長さ、材質、形状、および毛の太さを同一としてもよい。これにより、刷毛１３をくわえて歯を磨く際に、上下の歯に磨き方の際を生じにくくすることができ、ユーザにより高い利便性を提供することができる。
【符号の説明】
【００６７】
１        歯ブラシ
１１      頸部
１１１    環状部
１１２    開口部
１１３    部材
１２      頭部
１２１    孔
１３      刷毛
１３１    表面の刷毛
１３２    裏面の刷毛
１３０１  固定部
１３０２  固定部材
【要約】      （修正有）【課題】歯ブラシの使用に際し、ユーザに対してより利便性を提供することができる、歯ブラシを提供する。【解決手段】歯ブラシ１は、噛んでいない場合にはもとの形状に戻る程度の弾力性をを有する長尺状である頸部１１と、頸部１１の端部に設けられ、長尺方向の幅が頸部１１よりも大きく、歯で噛んだ際にへこみ、かつ、噛んでいない場合にはもとの形状に戻る程度の弾力性を有する頭部１２と、歯で噛んだ際にへこみ、かつ、頭部の表面および裏面の両方に設けられる刷毛１３とを備える。【選択図】図１【図１】
0006734493.tif 000002
【図２】
0006734493.tif 000003
【図３】
0006734493.tif 000004
【図４】
0006734493.tif 000005
【図５】
0006734493.tif 000006
【図６】
0006734493.tif 000007
【図７】
0006734493.tif 000008